(57)【要約】  【課題】  ビタミン関連化合物およびマイナスイオンを含んだ清浄空気を放出するビタミンカセットを吹出口に簡便に着脱できるようにして、美肌効果やリラックス効果を奏することができるようにした空気調和機を提供する。  【解決手段】  吸込口と吹出口２とを結ぶ空気通路に送風ファン４を設けてなる空気調和機において、前記吹出口２に、ビタミン関連化合物を放出するフィルタ５と、同フィルタ５を包むとともにマイナスイオンを発生する通気部材（不織布）６と、同通気部材（不織布）６に包まれたフィルタ５を収容した通気性を有するケース７とからなるビタミンカセット８を着脱可能に設けた。【選択図】  図４
2006052868.tif 000002
【特許請求の範囲】
【請求項１】
吸込口と吹出口とを結ぶ空気通路に送風ファンを設けてなる空気調和機において、
前記吹出口に、ビタミン関連化合物を放出するフィルタが設けられてなることを特徴とする空気調和機。
【請求項２】
前記フィルタが、前記吹出口のうち風速が遅い箇所に設けられてなることを特徴とする請求項１に記載の空気調和機。
【請求項３】
前記フィルタに、マイナスイオンを発生する通気部材が添設されてなることを特徴とする請求項１または請求項２に記載の空気調和機。
【請求項４】
前記フィルタが、緩衝部材を介装して通気性を有するケースに収容されてなることを特徴とする請求項１乃至請求項３の何れかに記載の空気調和機。
【発明の詳細な説明】
【技術分野】
【０００１】
本発明は、空気調和機に関わり、より詳細には、ビタミン関連化合物およびマイナスイオンを含んだ清浄空気を放出するビタミンカセットを吹出口に簡便に着脱できるようにして、美肌効果やリラックス効果を奏することができるようにした構造に関する。
【背景技術】
【０００２】
従来、環境と健康の改善に有効な効果を奏する空気調和機として、抗酸化物質放出ユニット送風路に備え付けられた抗酸化エレメントの上流に空気中の水分を吸着させる吸湿エレメントとこの吸着した水分を過熱して脱着させる空気加熱用ヒータとを設け、加熱された高湿度の空気が抗酸化エレメントを接触通過する際に抗酸化作用を有する物質を居住空間等の空気中に放出させてなるものが開示されていた（例えば、特許文献１参照。）。
【０００３】
しかしながら、前記抗酸化物質放出ユニットや前記抗酸化エレメントは、空気調和機本体の内部に設けられた構成になっており、例えば本体のケーシング前面部を開放して、特許文献１の図３および図６で示す前記抗酸化物質放出ユニットを取り付けもしくは取り外したり、また、本体のケーシング側面部から、特許文献１の図７および図８で示す長大な前記抗酸化エレメントを取り付けもしくは取り外しする構成であるため、構成が複雑になるのと同時に、メンテナンス時の作業性がよくないという問題点を有していた。
【０００４】
また、本体天面の吹出グリルの内側下方に香料保存版を設け、保存版に香料を収納した香料箱と、香料芳香開口部と、ダンパを備えることにより、芳香効果を大とし、また美観を損なうのを防止するものが開示されていた（例えば、特許文献２参照。）。
【０００５】
しかしながら、特許文献２の図で示すように、前記香料箱は前記吹出グリルの内側下方に設けられていることから、メンテナンス時には前記吹出グリルを取り外す必要が生じるため、上述した特許文献１の場合と同様に作業が面倒であった。
【０００６】
なお、特許文献１における前記抗酸化物質放出ユニットや、特許文献２における前記香料箱からは、例えばビタミン関連化合物およびマイナスイオンを含んだ清浄空気を放出できる構成にはなっていないことから、美肌効果やリラックス効果を更に高めたいという昨今の消費者ニーズには充分に対応できていないという問題点を有していた。
【０００７】
【特許文献１】特開２００３−９７８２６号公報（第１頁〜第３２頁、第１図〜第８図）
【特許文献２】特開平４−１５４３０号公報（第１頁〜第７頁、第１図）
【発明の開示】
【発明が解決しようとする課題】
【０００８】
本発明は上記問題点に鑑み、ビタミン関連化合物およびマイナスイオンを含んだ清浄空気を放出するビタミンカセットを吹出口に簡便に着脱できるようにして、美肌効果やリラックス効果を奏することができるようにした空気調和機を提供することを目的とする。
【課題を解決するための手段】
【０００９】
本発明は上記課題を解決するため、吸込口と吹出口とを結ぶ空気通路に送風ファンを設けてなる空気調和機において、
前記吹出口に、ビタミン関連化合物を放出するフィルタが設けられてなる構成となっている。
【００１０】
また、前記フィルタが、前記吹出口のうち風速が遅い箇所に設けられてなる構成となっている。
【００１１】
また、前記フィルタに、マイナスイオンを発生する通気部材が添設されてなる構成となっている。
【００１２】
更に、前記フィルタが、緩衝部材を介装して通気性を有するケースに収容されてなる構成となっている。
【発明の効果】
【００１３】
本発明によれば、ビタミン関連化合物およびマイナスイオンを含んだ清浄空気を室内に放出するビタミンカセットを吹出口に簡便に着脱できる構成にしたので、室内の人の肌に触れたり呼吸によって体内に取り入れられることにより、美肌効果やリラックス効果を奏することができるようにした空気調和機となる。
【発明を実施するための最良の形態】
【００１４】
以下、本発明の実施の形態を、添付図面に基づいた実施例として詳細に説明する。
図１は本発明による空気調和機の斜視図であり、図２は本発明による空気調和機の断面図であり、図３は本発明による空気調和機の要部分解斜視図であり、図４は本発明による空気調和機の要部説明図で、（Ａ）は断面図、（Ｂ）は要部断面図であり、図５はビタミンＣ発生量の風量依存性を示す説明図である。
なお、本発明の実施の形態は、ここでは空気調和機の一種としての空気清浄機における実施例として説明することとする。
【実施例１】
【００１５】
本発明による空気調和機は、実施例１として図で示すように、ベースａと前面パネルｂと後部パネルｃとからなる本体の前面に吸込口１を形成し、上面後部に吹出口２を形成している。
【００１６】
前記本体内は、図２で示すように、中央部に流入孔ｄを穿設した仕切板ｅにより前後に区画され、区画された後部には、前記流入孔ｄを臨ませてファンモータｆにより駆動される送風ファン４が設けられている。
【００１７】
区画された前部には、前記吸込口１側から順次プレフィルタｇと、集塵／脱臭フィルタからなるエアフィルタ３とが設けられ、又これらの上方には、制御基板あるいは電源部等を収容した制御部ｈが設けられている。
【００１８】
前記吸込口１から吸込まれた室内の空気は、前記プレフィルタｇにより比較的粒径の粗い塵埃が除去され、続いて前記エアフィルタ３により比較的粒径の細かい塵埃が除去されるとともに含有する臭気成分が吸収されるようになっている。
【００１９】
前記エアフィルタ３を通過した空気は、前記送風ファン４により前記流入孔ｄを経て前記吹出口２に送出されるようになっている。
【００２０】
前記吹出口２の側部寄りには、図３と、図４（Ａ）および図４（Ｂ）とで示すように、ビタミンＣといったビタミン関連化合物を放出するフィルタ５と、同フィルタ５を包むとともにマイナスイオンを発生する不織布６からなる通気部材と、同不織布６に包まれたフィルタ５を収容した通気性を有するケース７とからなるビタミンカセット８が着脱可能に設けられている。
【００２１】
これにより、前記吹出口２から吹き出される空気の一部が前記ビタミンカセット８を通過することになり、前記吹出口２からビタミンＣおよびマイナスイオンを含んだ清浄空気を室内に吹き出すことができるようになって、室内の人の肌に触れたり呼吸によって体内に取り入れられることにより、美肌効果やリラックス効果を奏することができるようになる。
【００２２】
前記フィルタ５は、ビタミンＣといったビタミン関連化合物が練り込まれたのち約５００℃の高温で焼かれ、または、約５００℃の高温で焼かれたのちビタミンＣといったビタミン関連化合物が塗布され、もしくは、約５００℃の高温で焼かれたのちビタミンＣといったビタミン関連化合物の溶液中に漬け込むことで含浸されてなる瀬戸物によって、円形状または多角形状による筒形状で多数連設されて、ビタミンＣおよびビタミンＣ誘導体（アスコルビン酸リン酸マグネシウム）を放出するフィルタとして構成されており、多数の筒形状に形成されたことで通気性を良好にし、且つ、ビタミンＣおよびビタミンＣ誘導体（アスコルビン酸リン酸マグネシウム）を効果的に放出できるようになっている。
【００２３】
前記フィルタ５は、約５００℃の高温で焼かれることによって約２割のビタミン関連化合物を消失する一方、上述したビタミンＣおよびビタミンＣ誘導体（アスコルビン酸リン酸マグネシウム）を効果的に放出できる期間を延ばすことができるようになり、例えば一日当たり約８時間づつ運転した場合、約４年間は放出可能になる。
【００２４】
前記不織布６は、例えばトルマリンのような鉱石を使って、オゾンを発生させることなくマイナスイオンを発生させる機能をもたせたものであって、この不織布６で前記フィルタ５を包むことにより、同フィルタ５が損壊して形状を崩した場合であっても、欠片が外にこぼれ出ないように保護している。
【００２５】
また、前記不織布６は、例えばトルマリンのような鉱石を粉状にして練り込まれるようにしたり、塗布されることによってマイナスイオンを発生する機能を有する構成になっている。
【００２６】
なお、前記不織布６は、オゾンを発生させることなくマイナスイオンを発生させる機能を有しているが、もしオゾンを発生した場合には、前記フィルタ５が放出したビタミンＣを異質のものに変化させてしまって、ビタミンＣによる効用を減らしてしまうことになるので、オゾンを発生させることなくマイナスイオンを発生させるという特有の機能はその点で有利である。
【００２７】
前記フィルタ５が放出したビタミンＣは、水に溶けやすい性質を有しているので、空気中の水分に溶け込んで室内に放出されることになり、室内の人の口から肺に、そして血液中に入ったり肌に触れることになって、臭いをとったり、活性化酸素を除去できるようになり、また、前記不織布６が発生したマイナスイオンとの相乗効果によって美肌効果やリラックス効果を奏することになる。
【００２８】
前記ケース７は、図４（Ｂ）で示すように、桟7aを有して通気性が良好な構成になっており、前記不織布６に包まれたフィルタ５を挿脱可能に収容して保持するとともに、図３で示すように、前記吹出口２に設けられた取付部2aに着脱可能に取り付けられるようになっており、前記送風ファン４によって前記吸込口１から吸い込まれ前記吹出口２に送出された空気の一部は、図４（Ａ）および図４（Ｂ）で示す矢印ａのように、前記ビタミンカセット８を流通することによって、前記不織布６が発生させたマイナスイオンと前記フィルタ５が放出したビタミンＣとを、清浄空気といっしょに室内に効率よく吹き出すことになる。
【００２９】
その際、ビタミンＣ発生量の風量依存性は、実験データとして図５で示すように、空気清浄機を中〜強程度の範囲で運転した場合が良好であり、必ずしも急速運転によって風量を多くした場合にビタミンＣ発生量が増加することにはならない。
【００３０】
そのため、前記ビタミンカセット８は、図４（Ａ）で示すように、前記吹出口２の側部寄りに設けられることによって、矢印ａで示す風速が速くならない位置に設けられている。
また、前記ビタミンカセット８は、風速が速い位置に設けられた場合には、前記吹出口２の吹出空気に対する抵抗が大きくなってしまうので、通風効率の点でも、矢印ａで示す風速が速くならない位置に設けられるほうが有利である。
【００３１】
前記ケース７は、図１および図２で示すように、前記吹出口２に設けられた吹出グリル（桟）の表面と面一状に取り付けられるので外観性を損ねることがない。
【００３２】
また、前記ケース７は、前記吹出グリル（桟）を取り外すことなく、空気清浄機の外部から容易に、且つ正確に着脱できるようになっているので、前記不織布６に包まれたフィルタ５を交換する時など、メンテナンス時の作業性はきわめて良好である。
【００３３】
なお、前記不織布６に包まれたフィルタ５は、前記ケース７内に収容された際、図４（Ｂ）で示すように、同ケース７に突設された対をなす係止爪7bにより係脱可能に係止されるようになっているので、取り出して交換するような場合の作業は簡単なので便利である。
【００３４】
前記ビタミンカセット８は、空気清浄機における前記吹出口２に設けられた構成になっているが、例えば空気調和機の熱交換器の近傍に設けられたような場合には、同熱交換器に生じた水にビタミンＣが溶け込んでドレン水として室外に排出されてしまうことになるので、この点においても、前記吹出口２に設けられるようにした構成が有利である。
【００３５】
また、前記不織布６で包まれたフィルタ５と、前記ケース７との間に、緩衝部材（クッション材）９が設けられてなる構成となっており、これにより、空気清浄機の運転時に発生する振動を効果的に吸収して、前記不織布６で包まれたフィルタ５が損壊しないよう保護できるようにした構成になっている。
【図面の簡単な説明】
【００３６】
【図１】本発明による空気調和機の斜視図である。
【図２】本発明による空気調和機の断面図である。
【図３】本発明による空気調和機の要部分解斜視図である。
【図４】本発明による空気調和機の要部説明図で、（Ａ）は断面図であり、（Ｂ）は要部断面図である。
【図５】ビタミンＣ発生量の風量依存性を示す説明図である。
【符号の説明】
【００３７】
１  吸込口
２  吹出口
2a  取付部
３  エアフィルタ
４  送風ファン
５  フィルタ
６  不織布（通気部材）
７  ケース
7a  桟
7b  係止爪
８  ビタミンカセット
９  緩衝部材（クッション材）
ａ  ベース
ｂ  前面パネル
ｃ  後部パネル
ｄ  流入口
ｅ  仕切板
ｆ  ファンモータ
ｇ  プレフィルタ
ｈ  制御部
【図１】
2006052868.tif 000003
【図２】
2006052868.tif 000004
【図３】
2006052868.tif 000005
【図４】
2006052868.tif 000006
【図５】
2006052868.tif 000007